(57)【特許請求の範囲】
【請求項１】
インクを貯留するメインタンクと、
前記インクを吐出する第一ノズルと第二ノズルとを含むインクジェットヘッドと、
前記メインタンクから供給された前記インクが流れ、前記第一ノズルと前記第二ノズルとから吐出される前記インクを循環させる循環流路と、
前記循環流路に設けられ、前記循環流路に前記インクを流す送液部と、
前記メインタンクと前記循環流路とを繋ぎ、前記メインタンクから前記循環流路に供給される前記インクが流れる補給流路と、
前記補給流路に設けられ、前記補給流路を開閉する補給弁と、を備え、
前記インクジェットヘッドは、
前記第一ノズルが形成された第一ヘッド部と、
前記第一ヘッド部に供給される前記インクを貯留する第一サブタンクと、
前記第二ノズルが形成された第二ヘッド部と、
前記第二ヘッド部に供給される前記インクを貯留する第二サブタンクと、を備え、
前記循環流路は、
前記第一サブタンクに繋がり、前記第一サブタンクに供給される前記インクが流れる第一供給流路と、
前記第二サブタンクに繋がり、前記第二サブタンクに供給される前記インクが流れる第二供給流路と、
前記第一供給流路と前記第二供給流路とが繋がり、前記第一供給流路に前記インクを流出させ、前記第二供給流路に前記インクを流出させる、第一マニホールドと、
前記第一ヘッド部に繋がり、前記第一ヘッド部から流出する前記インクが流れる第一回収流路と、
前記第二ヘッド部に繋がり、前記第二ヘッド部から流出する前記インクが流れる第二回収流路と、
前記第一回収流路と前記第二回収流路とが繋がり、前記第一回収流路を流れた前記インクが流入し、前記第二回収流路を流れた前記インクが流入する、第二マニホールドと、
前記第二マニホールドと前記第一マニホールドとを繋ぎ、前記第二マニホールドから前記第一マニホールドに前記インクを流す連結流路と、
前記第一回収流路に設けられ、前記第一回収流路を開閉する第一回収弁と、
前記第二回収流路に設けられ、前記第二回収流路を開閉する第二回収弁と、
前記第一マニホールドと前記第二マニホールドとを繋ぎ、前記第一マニホールドから前記第二マニホールドに前記インクを流すバイパス流路と、
前記バイパス流路に設けられ、前記バイパス流路を開閉するバイパス弁と、を備え、
前記第一サブタンクには、前記第一サブタンクに貯留された前記インクの量を検出する第一検出器が設けられ、
前記第二サブタンクには、前記第二サブタンクに貯留された前記インクの量を検出する第二検出器が設けられ、
前記第一検出器によって検出された前記インクの量が第一量である場合、
前記補給弁は、開かれた状態となり、
前記第一回収弁は、閉じられた状態となり、
前記第一検出器によって検出された前記インクの量が前記第一量より多い第二量である場合、
前記補給弁は、閉じられた状態となり、
前記第一回収弁は、開かれた状態となり、
前記第二検出器によって検出された前記インクの量が前記第一量である場合、
前記補給弁は、開かれた状態となり、
前記第二回収弁は、閉じられた状態となり、
前記第二検出器によって検出された前記インクの量が前記第二量である場合、
前記補給弁は、閉じられた状態となり、
前記第二回収弁は、開かれた状態となり、
前記バイパス弁は、前記第一回収弁と前記第二回収弁とが閉じられた状態である場合、開かれた状態となる、インクジェット記録装置。
【請求項２】
前記バイパス弁は、前記第一回収弁と前記第二回収弁とが開かれた状態である場合、前記第一回収弁が開かれた状態で且つ前記第二回収弁が閉じられた状態である場合、又は前記第一回収弁が閉じられた状態で且つ前記第二回収弁が開かれた状態である場合、閉じられた状態となる、請求項１に記載のインクジェット記録装置。
【請求項３】
前記第一サブタンクに設けられ、前記第一サブタンクに貯留された前記インクを加熱する第一加熱部と、
前記第二サブタンクに設けられ、前記第二サブタンクに貯留された前記インクを加熱する第二加熱部と、を備える、請求項１又は請求項２に記載のインクジェット記録装置。
【発明の詳細な説明】
【技術分野】
【０００１】
本発明は、インクジェット記録装置に関する。
【背景技術】
【０００２】
インクジェット記録装置に関する技術が提案されている。例えば、特許文献１には、インクジェット印刷装置が開示されている。インクジェット印刷装置では、上部インクタンクとインク供給室は、インク供給経路を介して接続される。インク回収室と下部インクタンクとポンプと温度調節器と上部インクタンクは、インク回収経路を介して接続される。下部インクタンクが大気圧に保たれている場合、下部インクタンクとインクジェットヘッドのノズルの水頭差によってノズルにメニスカスが生じるような適切圧力となるように、下部インクタンクの高さ位置が定められる。下部インクタンクに設けられた圧調整部は、下部インクタンク内上部の空気層を減圧する。上部インクタンク内のインクは、インク供給経路内を通ってインク供給室内に供給される。インクは、インク供給室内から複数のインクジェットヘッドに分配され、各インクジェットヘッドから印刷用紙上に吐出される。余剰のインクは、インク回収室内からインク回収経路内を通って下部インクタンク内に一時的に貯蔵され、温度調節器を介して上部インクタンクに供給される。下部インクタンクは、インクボトルと接続されており、第三電磁弁がオン制御されることで、インクボトル内のインクが下部インクタンクに供給される。インクジェット印刷装置には、インク供給経路とインク回収経路を接続するバイパス経路が設けられる。バイパス経路とインク供給経路の接続部には、分岐弁が設けられ、バイパス経路とインク回収経路の接続部には、合流弁が設けられる。上部インクタンク内のインクは、分岐弁からバイパス経路を通って、合流弁からインク回収経路へ流入する。即ち、インクジェット印刷装置では、第一の循環経路と第二の循環経路によって、インクが循環される。
【０００３】
特許文献２には、インクジェット記録装置が開示されている。インクジェット記録装置では、インクタンクは、第一主流路を介してインク供給マニホールドと連通され、第二主流路を介してインク回収マニホールドと連通される。第一主流路には第一液体ポンプが接続され、第二主流路には第二液体ポンプが接続される。インクジェット記録装置では、インクタンクから第一主流路を経由してインク供給マニホールドにインクが供給される。インクは、インク供給マニホールドから各第一分岐流路を通り、更に、第一分岐流路がそれぞれ接続された各ヘッドモジュールの供給口からヘッドモジュール内部に分配供給される。ヘッドモジュール内部を循環したインクは、各ヘッドモジュールの排出口に接続された各第二分岐流路を通ってインク回収マニホールドに回収され、更に、インク回収マニホールドから第二主流路を経由してインクタンクにインクが戻される。インクジェット記録装置では、インク供給マニホールドの内部圧力がインク回収マニホールドの内部圧力よりも相対的に高くなるようにマニホールド間に所定の圧力差が設定され、且つ、ヘッドモジュール内のインクに所定の負圧が付与されるように第一液体ポンプと第二液体ポンプの駆動が制御される。インク供給マニホールドとインク回収マニホールドの間には、気泡排出バイパス流路と、循環用バイパス流路が設けられる。循環用バイパス流路により、各ヘッドモジュールを経由することなく、インク供給マニホールドからインク回収マニホールドに直接インクを循環することができる。
【先行技術文献】
【特許文献】
【０００４】
【特許文献１】特許第５４０６７７８号公報
【特許文献２】特開２０１１−７９１６９号公報
【発明の概要】
【発明が解決しようとする課題】
【０００５】
インクジェット記録装置では、インクジェットヘッドのノズルからインクが吐出される。インクジェット記録装置によれば、記録媒体に画像を高品質に記録することができる。発明者は、複数のヘッド部によって形成された構造のインクジェットヘッドについて検討した。その際、発明者は、各ヘッド部に対して、サブタンクを設ける構成を考えた。サブタンクは、メインタンクから供給されたインクを貯留する。サブタンクに貯留されたインクは、サブタンクから流出し、ヘッド部に供給される。インクジェット記録装置では、各ヘッド部のノズルに安定したメニスカスを形成することで、好ましいインクの吐出を実現し、記録される画像の品質を安定させることができる。メニスカスを安定させるためには、例えば、サブタンクにおいてインクが貯留される空間を大気圧より低い圧力（負圧）に維持した状態で、サブタンクに貯留されるインクの量を、所定の範囲に調整する必要がある。
【０００６】
インクは、例えば、色剤及び添加剤といった所定の成分を溶媒に分散させてなる。含有成分は、所定の比重を有する。全部又は一部の含有成分は、溶媒より比重が大きい。従って、インクジェット記録装置の内部に存在するインクにおいて、含有成分の沈降が生じる場合もある。このような沈降は、例えば、インクジェット記録装置で画像の記録が行われず、インクが一定の場所に継続して停滞しているような場合に生じ易い。含有成分が沈降すると、濃度が変化し、吐出結果に濃度ムラ又は歪み、色再現性の悪化等の品質劣化が生じることがある。
【０００７】
インクジェット記録装置では、各ヘッド部に形成されたノズルから強制的にインクが吐出されることがある。このようなインクの吐出は、ノズルの詰まりを防止するために行われる。所定のヘッド部のノズルからインクが強制的に吐出されると、このヘッド部にインクを供給するサブタンクで、インクが減少する。発明者は、インクを循環させつつ、サブタンクに貯留されたインクの量を、スムーズに調整できる構成について検討を行った。
【０００８】
本発明は、インクを循環させた状態でサブタンクに貯留されるインクの量をスムーズに調整できる、インクジェット記録装置を提供することを目的とする。
【課題を解決するための手段】
【０００９】
本発明の一側面は、インクを貯留するメインタンクと、前記インクを吐出する第一ノズルと第二ノズルとを含むインクジェットヘッドと、前記メインタンクから供給された前記インクが流れ、前記第一ノズルと前記第二ノズルとから吐出される前記インクを循環させる循環流路と、前記循環流路に設けられ、前記循環流路に前記インクを流す送液部と、前記メインタンクと前記循環流路とを繋ぎ、前記メインタンクから前記循環流路に供給される前記インクが流れる補給流路と、前記補給流路に設けられ、前記補給流路を開閉する補給弁と、を備え、前記インクジェットヘッドは、前記第一ノズルが形成された第一ヘッド部と、前記第一ヘッド部に供給される前記インクを貯留する第一サブタンクと、前記第二ノズルが形成された第二ヘッド部と、前記第二ヘッド部に供給される前記インクを貯留する第二サブタンクと、を備え、前記循環流路は、前記第一サブタンクに繋がり、前記第一サブタンクに供給される前記インクが流れる第一供給流路と、前記第二サブタンクに繋がり、前記第二サブタンクに供給される前記インクが流れる第二供給流路と、前記第一供給流路と前記第二供給流路とが繋がり、前記第一供給流路に前記インクを流出させ、前記第二供給流路に前記インクを流出させる、第一マニホールドと、前記第一ヘッド部に繋がり、前記第一ヘッド部から流出する前記インクが流れる第一回収流路と、前記第二ヘッド部に繋がり、前記第二ヘッド部から流出する前記インクが流れる第二回収流路と、前記第一回収流路と前記第二回収流路とが繋がり、前記第一回収流路を流れた前記インクが流入し、前記第二回収流路を流れた前記インクが流入する、第二マニホールドと、前記第二マニホールドと前記第一マニホールドとを繋ぎ、前記第二マニホールドから前記第一マニホールドに前記インクを流す連結流路と、前記第一回収流路に設けられ、前記第一回収流路を開閉する第一回収弁と、前記第二回収流路に設けられ、前記第二回収流路を開閉する第二回収弁と、前記第一マニホールドと前記第二マニホールドとを繋ぎ、前記第一マニホールドから前記第二マニホールドに前記インクを流すバイパス流路と、前記バイパス流路に設けられ、前記バイパス流路を開閉するバイパス弁と、を備え、前記第一サブタンクには、前記第一サブタンクに貯留された前記インクの量を検出する第一検出器が設けられ、前記第二サブタンクには、前記第二サブタンクに貯留された前記インクの量を検出する第二検出器が設けられ、前記第一検出器によって検出された前記インクの量が第一量である場合、前記補給弁は、開かれた状態となり、前記第一回収弁は、閉じられた状態となり、前記第一検出器によって検出された前記インクの量が前記第一量より多い第二量である場合、前記補給弁は、閉じられた状態となり、前記第一回収弁は、開かれた状態となり、前記第二検出器によって検出された前記インクの量が前記第一量である場合、前記補給弁は、開かれた状態となり、前記第二回収弁は、閉じられた状態となり、前記第二検出器によって検出された前記インクの量が前記第二量である場合、前記補給弁は、閉じられた状態となり、前記第二回収弁は、開かれた状態となり、前記バイパス弁は、前記第一回収弁と前記第二回収弁とが閉じられた状態である場合、開かれた状態となる、インクジェット記録装置である。
【００１０】
このインクジェット記録装置によれば、第一回収弁を閉じた状態とすることで、第一ヘッド部からのインクの流出を停止させることができる。これに伴い、第一サブタンクに貯留されるインクの量を増加させることができる。第二回収弁を閉じた状態とすることで、第二ヘッド部からのインクの流出を停止させることができる。これに伴い、第二サブタンクに貯留されるインクの量を増加させることができる。インクを循環させることができる。第一回収弁と第二回収弁が共に閉じられた状態であっても、インクを循環し続けることが可能となる。第一回収弁と第二回収弁が共に閉じた状態では、インクは、バイパス流路を通して第一マニホールドから第二マニホールドに流れ、更に、連結流路を通して第二マニホールドから第一マニホールドに流れる。第一サブタンクに貯留されたインクの量が第一量である場合、メインタンクから循環流路にインクを供給しつつ、第一サブタンクに貯留されるインクの量を増加させることができる。その後、第一サブタンクに貯留されたインクの量が第二量となった状態で、メインタンクから循環流路へのインクの供給を停止させ、第一ヘッド部を介したインクの循環を再開させることができる。第二サブタンクに貯留されたインクの量が第一量である場合、メインタンクから循環流路にインクを供給しつつ、第二サブタンクに貯留されるインクの量を増加させることができる。その後、第二サブタンクに貯留されたインクの量が第二量となった状態で、メインタンクから循環流路へのインクの供給を停止させ、第二ヘッド部を介したインクの循環を再開させることができる。
【００１１】
インクジェット記録装置では、前記バイパス弁は、前記第一回収弁と前記第二回収弁とが開かれた状態である場合、前記第一回収弁が開かれた状態で且つ前記第二回収弁が閉じられた状態である場合、又は前記第一回収弁が閉じられた状態で且つ前記第二回収弁が開かれた状態である場合、閉じられた状態となる、ようにしてもよい。
【００１２】
この構成によれば、第一回収弁と第二回収弁が閉じられた状態である場合、バイパス流路を通して第一マニホールドから第二マニホールドにインクを流すことができる。
【００１３】
インクジェット記録装置は、前記第一サブタンクに設けられ、前記第一サブタンクに貯留された前記インクを加熱する第一加熱部と、前記第二サブタンクに設けられ、前記第二サブタンクに貯留された前記インクを加熱する第二加熱部と、を備える、ようにしてもよい。この構成によれば、第一サブタンクから第一ヘッド部に供給されるインクを加熱し、インクの温度を、第一ノズルからの吐出に適した温度に調整することができる。第二サブタンクから第二ヘッド部に供給されるインクを加熱し、インクの温度を、第二ノズルからの吐出に適した温度に調整することができる。
【発明の効果】
【００１４】
本発明によれば、インクを循環させた状態でサブタンクに貯留されるインクの量をスムーズに調整できる、インクジェット記録装置を得ることができる。
【図面の簡単な説明】
【００１５】
【図１】インクジェット記録装置の概略構成の一例を示す断面図である。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１７】
＜インクジェット記録装置＞
インクジェット記録装置１０では、各種の記録媒体に画像が記録される。記録媒体としては、布帛又は建築用資材が例示される。画像の記録に用いられるインクは、例えば、ブラック、マゼンタ、イエロー及びシアンの４色である。但し、これら各色のインクとは異なる色のインクを用いるようにしてもよい。インクの色数は、３色以下又は５色以上としてもよい。実施形態では、インク色を区別することなく説明する。図１では、色毎の各部１５，２０，６０，７７，８０，８１に関する図示は、簡略化されている。ハッチングは、断面された部分を示す。
【００１８】
インクジェット記録装置１０は、メインタンク１５と、インクジェットヘッド２０と、循環流路６０と、送液部７７と、補給流路８０と、補給弁８１と、制御装置９０を備える。メインタンク１５は、インクを貯留する。インクジェットヘッド２０は、複数のノズル２４，２５，２６を含む。インクジェットヘッド２０は、複数のノズル２４，２５，２６からインクを吐出する。循環流路６０には、メインタンク１５から供給されたインクが流れる。循環流路６０によって、複数のノズル２４，２５，２６から吐出されるインクが循環される。インクジェットヘッド２０及び循環流路６０に関するこの他の説明は、後述する。送液部７７は、循環流路６０に設けられ、循環流路６０にインクを流す。インクは、送液部７７によって、循環流路６０を循環される。送液部７７としては、公知のポンプが例示される。但し、送液部７７としては、ポンプとは異なる公知の機構を採用することもできる。
【００１９】
補給流路８０は、メインタンク１５と循環流路６０を繋ぐ。補給流路８０には、メインタンク１５から循環流路６０に供給されるインクが流れる。補給弁８１は、補給流路８０に設けられる。補給弁８１は、電磁弁であり、補給流路８０を開閉する。補給弁８１は、メインタンク１５から循環流路６０にインクが供給される場合、開かれた状態とされる。補給弁８１は、メインタンク１５から循環流路６０へのインクの供給を停止させる場合、閉じられた状態とされる。
【００２０】
制御装置９０は、制御部９１と、接続インターフェース９５と、電源９６を備える。実施形態では、接続インターフェース９５を、「接続Ｉ／Ｆ９５」と記載する。制御部９１は、インクジェット記録装置１０で実行される各種の動作を制御する。例えば、制御部９１は、インクジェットヘッド２０からのインクの吐出を制御する。制御部９１は、後述する各弁の開閉を制御する。制御部９１は、例えば、ＣＰＵ９２と、記憶部９３と、ＲＡＭ９４を含む。ＣＰＵ９２は、演算処理を実行する。記憶部９３は、例えば、不揮発性のメモリ及び／又はハードディスクである。記憶部９３には、インクジェット記録装置１０で実行される各種の動作用のプログラムが記憶される。ＲＡＭ９４は、ＣＰＵ９２が記憶部９３に記憶されたプログラムを実行する際の作業領域となる。
【００２１】
接続Ｉ／Ｆ９５には、補給弁８１が接続される。この他、接続Ｉ／Ｆ９５には、検出器４９，５０，５１と回収弁７０，７１，７２とバイパス弁７４が接続される。制御部９１から出力される開放信号と閉鎖信号は、接続Ｉ／Ｆ９５から、回収弁７０，７１，７２とバイパス弁７４と補給弁８１に出力される。検出器４９，５０，５１のそれぞれから出力される液面レベル信号は、接続Ｉ／Ｆ９５を介して制御装置９０に入力される。液面レベル信号は、接続Ｉ／Ｆ９５から制御部９１に出力される。電源９６には、加熱部５２，５３，５４が接続される。電源９６は、加熱部５２，５３，５４に電力を供給する。検出器４９，５０，５１及び液面レベル信号と加熱部５２，５３，５４と回収弁７０，７１，７２とバイパス弁７４については、後述する。図１では、接続Ｉ／Ｆ９５と検出器４９，５０，５１、回収弁７０，７１，７２、バイパス弁７４及び補給弁８１を接続し、電源９６と加熱部５２，５３，５４を接続する電気配線の図示は、省略されている。
【００２２】
＜インクジェットヘッド＞
インクジェットヘッド２０は、複数のヘッド部と、キャリッジ４２と、複数のサブタンクを備える。インクジェットヘッド２０では、１個のヘッド部に対して１個のサブタンクが設けられる。実施形態では、１個のインクジェットヘッド２０が備えるヘッド部の数を、３個としている。従って、１個のインクジェットヘッド２０が備えるサブタンクの数は、３個である。３個のヘッド部を、「ヘッド部２１」、「ヘッド部２２」、「ヘッド部２３」という。３個のサブタンクを、「サブタンク４３」、「サブタンク４４」、「サブタンク４５」という。サブタンク４３は、ヘッド部２１に対して設けられる。サブタンク４４は、ヘッド部２２に対して設けられる。サブタンク４５は、ヘッド部２３に対して設けられる。１個のインクジェットヘッド２０が備えるヘッド部の数とサブタンクの数は、２個又は４個以上としてもよい。１個のインクジェットヘッド２０が備えるヘッド部の数とサブタンクの数は、諸条件を考慮して適宜決定される。
【００２３】
ヘッド部２１，２２，２３は、同様の構成を有する。サブタンク４３，４４，４５は、同様の構成を有する。実施形態では、サブタンク４３は、ヘッド部２１の鉛直方向の上側に取り付けられる。サブタンク４４は、ヘッド部２２の鉛直方向の上側に取り付けられる。サブタンク４５は、ヘッド部２３の鉛直方向の上側に取り付けられる。ヘッド部２１，２２，２３は、サブタンク４３，４４，４５がそれぞれ取り付けられた状態で、キャリッジ４２に搭載される。ヘッド部２１には、複数のノズル２４と流入口２７と流出口３０と内部流路３３が形成される。ヘッド部２２には、複数のノズル２５と流入口２８と流出口３１と内部流路３４が形成される。ヘッド部２３には、複数のノズル２６と流入口２９と流出口３２と内部流路３５が形成される。インクジェットヘッド２０では、インクは、ヘッド部２１，２２，２３にそれぞれ形成されたノズル２４，２５，２６から吐出される。図１では、ノズル２４，２５，２６の数は、各４個とされている。ノズル２４，２５，２６の数と配置は、諸条件を考慮して適宜決定される。
【００２４】
サブタンク４３からヘッド部２１に供給されるインクは、流入口２７からヘッド部２１に流入する。ヘッド部２１に供給されたインクは、ノズル２４から吐出され、又は流出口３０から流出する。内部流路３３は、本流部３６と複数の支流部３９を含む。本流部３６は、流入口２７と流出口３０を繋ぐ。支流部３９は、本流部３６から分岐し、ノズル２４に繋がる。即ち、インクは、流入口２７からヘッド部２１に流入し、本流部３６を流出口３０の側に流れ、その後、流出口３０から循環流路６０に流出する。本流部３６を流れるインクの一部は、支流部３９に流入し、ノズル２４の側に流れる。
【００２５】
サブタンク４４からヘッド部２２に供給されるインクは、流入口２８からヘッド部２２に流入する。ヘッド部２２に供給されたインクは、ノズル２５から吐出され、又は流出口３１から流出する。内部流路３４は、本流部３７と複数の支流部４０を含む。本流部３７は、流入口２８と流出口３１を繋ぐ。支流部４０は、本流部３７から分岐し、ノズル２５に繋がる。即ち、インクは、流入口２８からヘッド部２２に流入し、本流部３７を流出口３１の側に流れ、その後、流出口３１から循環流路６０に流出する。本流部３７を流れるインクの一部は、支流部４０に流入し、ノズル２５の側に流れる。
【００２６】
サブタンク４５からヘッド部２３に供給されるインクは、流入口２９からヘッド部２３に流入する。ヘッド部２３に供給されたインクは、ノズル２６から吐出され、又は流出口３２から流出する。内部流路３５は、本流部３８と複数の支流部４１を含む。本流部３８は、流入口２９と流出口３２を繋ぐ。支流部４１は、本流部３８から分岐し、ノズル２６に繋がる。即ち、インクは、流入口２９からヘッド部２３に流入し、本流部３８を流出口３２の側に流れ、その後、流出口３２から循環流路６０に流出する。本流部３８を流れるインクの一部は、支流部４１に流入し、ノズル２６の側に流れる。
【００２７】
サブタンク４３は、ヘッド部２１に供給されるインクを貯留する。サブタンク４４は、ヘッド部２２に供給されるインクを貯留する。サブタンク４５は、ヘッド部２３に供給されるインクを貯留する。実施形態では、サブタンク４３の内部に形成された空間を、「貯留室４６」という。サブタンク４３では、インクは貯留室４６に貯留される。サブタンク４４の内部に形成された空間を、「貯留室４７」という。サブタンク４４では、インクは貯留室４７に貯留される。サブタンク４５の内部に形成された空間を、「貯留室４８」という。サブタンク４５では、インクは貯留室４８に貯留される。
【００２８】
サブタンク４３，４４，４５は、気圧調整システムにそれぞれ繋がる。気圧調整システムは、真空ポンプと、圧縮機を含む。真空ポンプは、貯留室４６，４７，４８の気圧を大気圧より低い圧力（負圧）とする。圧縮機は、貯留室４６，４７，４８の気圧を大気圧より高い圧力とする。即ち、サブタンク４３，４４，４５では、インクが貯留された状態の貯留室４６，４７，４８の気圧が、気圧調整システムによって調整される。図１では、気圧調整システムの図示は、省略されている。
【００２９】
インクジェット記録装置１０では、記録媒体に画像が記録される場合、貯留室４６，４７，４８は、真空ポンプと通じ合った状態とされる。インクジェット記録装置１０では、インクジェットヘッド２０で、ヘッド部２１の複数のノズル２４とヘッド部２２の複数のノズル２５とヘッド部２３の複数のノズル２６のうち、一部又は全部のヘッド部の複数のノズルからインクを強制的に吐出させる場合、サブタンク４３，４４，４５のうち、この操作の対象となるヘッド部に対応するサブタンクの貯留室は、圧縮機と通じ合った状態とされる。
【００３０】
サブタンク４３には、検出器４９と加熱部５２が設けられる。検出器４９は、サブタンク４３に貯留されたインクの量を検出する。加熱部５２は、サブタンク４３に貯留されたインクを加熱する。サブタンク４４には、検出器５０と加熱部５３が設けられる。検出器５０は、サブタンク４４に貯留されたインクの量を検出する。加熱部５３は、サブタンク４４に貯留されたインクを加熱する。サブタンク４５には、検出器５１と加熱部５４が設けられる。検出器５１は、サブタンク４５に貯留されたインクの量を検出する。加熱部５４は、サブタンク４５に貯留されたインクを加熱する。
【００３１】
検出器４９，５０，５１としては、サブタンク４３，４４，４５に貯留されたインクの量を検出できる公知のセンサが採用される。例えば、検出器４９，５０，５１としては、公知の液面センサが採用される。検出器４９，５０，５１として採用されるセンサの形式は、諸条件を考慮して適宜決定される。実施形態では、検出器４９，５０，５１によるインクの量の検出は、サブタンク４３，４４，４５に貯留されたインクの液面を検出して行われることとする。
【００３２】
検出器４９，５０，５１は、液面レベル信号を出力する。液面レベル信号は、検出器４９，５０，５１のそれぞれで検出されたインクの液面のレベルを示す検出信号である。インクの量が第一量である、又はインクの量が第一量を下回っている場合に、検出器４９，５０，５１から出力される液面レベル信号を、「下限値信号」という。インクの量が第二量である、又はインクの量が第二量を上回っている場合に、検出器４９，５０，５１から出力される液面レベル信号を、「上限値信号」という。第一量は、サブタンク４３，４４，４５に貯留されるインクの量の下限値として予め定められる。例えば、インクジェット記録装置１０では、サブタンク４３の貯留室４６の気圧が高められ、サブタンク４３に貯留されたインクがヘッド部２１のノズル２４から強制的に排出される場合に、サブタンク４３に貯留されたインクの量が第一量以下となる。第二量は、サブタンク４３，４４，４５に貯留されるインクの量の上限値として予め定められる。
【００３３】
加熱部５２，５３，５４としては、公知の電気ヒータが採用される。例えば、加熱部５２，５３，５４としては、公知のシート状をしたラバーヒータが採用される。加熱部５２，５３，５４として、シート状をしたラバーヒータが採用される場合、このラバーヒータは、サブタンク４３，４４，４５の外周面の全周にそれぞれ貼り付けられる。シート状をしたラバーヒータの熱は、サブタンク４３，４４，４５にそれぞれ熱伝導し、サブタンク４３，４４，４５は、この熱によって温められる。これに伴い、サブタンク４３，４４，４５に貯留されたインクが加熱される。
【００３４】
＜循環流路＞
循環流路６０は、供給流路６１，６２，６３と、第一マニホールド６４と、回収流路６５，６６，６７と、第二マニホールド６８と、連結流路６９と、回収弁７０，７１，７２と、バイパス流路７３と、バイパス弁７４を備える。図１において、循環流路６０を形成する各部の近傍又は内部に示す矢印は、その部分をインクが流れる方向を示す。
【００３５】
供給流路６１は、サブタンク４３に繋がる。供給流路６１には、サブタンク４３に供給されるインクが流れる。供給流路６２は、サブタンク４４に繋がる。供給流路６２には、サブタンク４４に供給されるインクが流れる。供給流路６３は、サブタンク４５に繋がる。供給流路６３には、サブタンク４５に供給されるインクが流れる。第一マニホールド６４には、供給流路６１，６２，６３が繋がる。第一マニホールド６４は、供給流路６１にインクを流出させ、供給流路６２にインクを流出させ、供給流路６３にインクを流出させる。即ち、第一マニホールド６４は、循環流路６０に供給されたインクを、供給流路６１，６２，６３のそれぞれに分配する。
【００３６】
回収流路６５は、ヘッド部２１に繋がり、ヘッド部２１から流出するインクが流れる。回収流路６６は、ヘッド部２２に繋がり、ヘッド部２２から流出するインクが流れる。回収流路６７は、ヘッド部２３に繋がり、ヘッド部２３から流出するインクが流れる。第二マニホールド６８には、回収流路６５，６６，６７が繋がる。第二マニホールド６８には、回収流路６５を流れたインクが流入し、回収流路６６を流れたインクが流入し、回収流路６７を流れたインクが流入する。供給流路６２，６３と第二マニホールド６８の図示に関し、図１では、供給流路６２，６３に対して第二マニホールド６８が奥側に設けられた状態で、供給流路６２，６３と第二マニホールド６８が重ねて図示されている。
【００３７】
連結流路６９は、第二マニホールド６８と第一マニホールド６４を繋ぐ。連結流路６９は、第二マニホールド６８から第一マニホールド６４にインクを流す。即ち、連結流路６９には、第二マニホールド６８から流出し第一マニホールド６４に流入するインクが流れる。第二マニホールド６８から流出したインクは、連結流路６９を流れ、第一マニホールド６４に流入する。連結流路６９には、送液部７７が設けられ、補給流路８０が接続される。実施形態では、補給流路８０との接続位置は、第二マニホールド６８と送液部７７の間の位置とされている。メインタンク１５から補給流路８０を流れて前述した接続位置で循環流路６０に供給されるインクは、連結流路６９に流入した後、送液部７７を通じて、循環流路６０を循環される。連結流路６９と補給流路８０の図示に関し、図１では、補給流路８０に対して連結流路６９が手前側に設けられた状態で、連結流路６９と補給流路８０が重ねて図示されている。
【００３８】
回収弁７０は、回収流路６５に設けられ、回収流路６５を開閉する。回収弁７０が開かれた状態である場合、ヘッド部２１から流出するインクは、回収流路６５を第二マニホールド６８の側に流れる。回収弁７０が閉じられた状態である場合、第二マニホールド６８の側への前述したインクの流れは、遮断される。即ち、ヘッド部２１を経由するインクの循環は、停止する。これに伴い、サブタンク４３に貯留されているインクの量を増加させることが可能となる。例えば、回収弁７０は、サブタンク４３に貯留されているインクの量が少なく、サブタンク４３に貯留されているインクの量を増加させる場合、閉じられた状態とされる。回収弁７０は、サブタンク４３に貯留されているインクの量が前述した状態ではない場合、開かれた状態とされる。
【００３９】
回収弁７１は、回収流路６６に設けられ、回収流路６６を開閉する。回収弁７１が開かれた状態である場合、ヘッド部２２から流出するインクは、回収流路６６を第二マニホールド６８の側に流れる。回収弁７１が閉じられた状態である場合、第二マニホールド６８の側への前述したインクの流れは、遮断される。即ち、ヘッド部２２を経由するインクの循環は、停止する。これに伴い、サブタンク４４に貯留されているインクの量を増加させることが可能となる。例えば、回収弁７１は、サブタンク４４に貯留されているインクの量が少なく、サブタンク４４に貯留されているインクの量を増加させる場合、閉じられた状態とされる。回収弁７１は、サブタンク４４に貯留されているインクの量が前述した状態ではない場合、開かれた状態とされる。
【００４０】
回収弁７２は、回収流路６７に設けられ、回収流路６７を開閉する。回収弁７２が開かれた状態である場合、ヘッド部２３から流出するインクは、回収流路６７を第二マニホールド６８の側に流れる。回収弁７２が閉じられた状態である場合、第二マニホールド６８の側への前述したインクの流れは、遮断される。即ち、ヘッド部２３を経由するインクの循環は、停止する。これに伴い、サブタンク４５に貯留されているインクの量を増加させることが可能となる。例えば、回収弁７２は、サブタンク４５に貯留されているインクの量が少なく、サブタンク４５に貯留されているインクの量を増加させる場合、閉じられた状態とされる。回収弁７２は、サブタンク４５に貯留されているインクの量が前述した状態ではない場合、開かれた状態とされる。
【００４１】
バイパス流路７３は、第一マニホールド６４と第二マニホールド６８を繋ぐ。バイパス流路７３は、第一マニホールド６４から第二マニホールド６８にインクを流す。即ち、バイパス流路７３には、第一マニホールド６４から流出し第二マニホールド６８に流入するインクが流れる。第一マニホールド６４から流出したインクは、バイパス流路７３を流れ、第二マニホールド６８に流入する。バイパス弁７４は、バイパス流路７３に設けられ、バイパス流路７３を開閉する。バイパス弁７４が開かれた状態である場合、第一マニホールド６４から流出するインクは、バイパス流路７３を第二マニホールド６８の側に流れる。バイパス弁７４が閉じられた状態である場合、第二マニホールド６８の側への前述したインクの流れは遮断される。例えば、バイパス弁７４は、回収弁７０，７１，７２の一部又は全部が開かれた状態である場合、閉じられた状態とされ、回収弁７０，７１，７２の全部が閉じられた状態である場合、開かれた状態とされる。回収弁７０，７１，７２の全部が閉じられ、バイパス弁７４が開かれた状態である場合、連結流路６９を流れて第一マニホールド６４に流入したインクは、供給流路６１，６２，６３に流出することなく、第一マニホールド６４の内部を流れて第一マニホールド６４から流出し、バイパス流路７３を第二マニホールド６８の側に流れる。
【００４２】
＜循環流路の各弁及び補給弁の開閉動作＞
循環流路６０に設けられる回収弁７０，７１，７２及びバイパス弁７４と補給流路８０に設けられる補給弁８１の開閉動作について、２つの実施例を説明する。回収弁７０，７１，７２とバイパス弁７４と補給弁８１の開閉は、制御部９１（ＣＰＵ９２）によって制御される。
【００４３】
＜第一実施例＞
第一実施例は、サブタンク４３に貯留されたインクの量が、第一量となった、又は第一量を下回った場合を前提とする。回収弁７０，７１，７２とバイパス弁７４と補給弁８１の状態について、回収弁７０，７１，７２は、開かれた状態であり、バイパス弁７４と補給弁８１は、閉じられた状態となっている。送液部７７は、駆動している。
【００４４】
サブタンク４３に貯留されたインクの量が第一量以下となった場合、検出器４９は、下限値信号を出力する。検出器４９からの下限値信号は、接続Ｉ／Ｆ９５を介して制御装置９０に入力される。制御部９１は、検出器４９からの下限値信号を取得する。制御部９１は、回収弁７０に閉鎖信号を出力する。閉鎖信号は、接続Ｉ／Ｆ９５から回収弁７０に出力される。回収弁７０は、閉じられた状態へと切り替わる。制御部９１は、検出器４９からの下限値信号を取得した場合、補給弁８１に開放信号を出力する。開放信号は、接続Ｉ／Ｆ９５から補給弁８１に出力される。補給弁８１は、開かれた状態へと切り替わる。回収弁７１，７２は、開かれた状態のままとされ、バイパス弁７４は、閉じられた状態のままとされる。
【００４５】
インクジェット記録装置１０では、メインタンク１５に貯留されたインクが、補給流路８０を流れて循環流路６０に供給され、新たに供給されたインクを含むインクが、循環流路６０を循環される。回収弁７０が閉じられた状態である場合、回収流路６５を通した第二マニホールド６８の側へのヘッド部２１から流出するインクの流れは、遮断される。ヘッド部２１を経由するインクの循環は、停止され、サブタンク４３に貯留されているインクの量は、漸次増加する。第一実施例では、循環流路６０におけるインクの循環は、ヘッド部２１とバイパス流路７３を経由せず、ヘッド部２２，２３を経由して行われる。
【００４６】
サブタンク４３に貯留されているインクの量が第二量以上となった場合、検出器４９は、上限値信号を出力する。検出器４９からの上限値信号は、接続Ｉ／Ｆ９５を介して制御装置９０に入力される。制御部９１は、検出器４９からの上限値信号を取得する。制御部９１は、回収弁７０に開放信号を出力する。開放信号は、接続Ｉ／Ｆ９５から回収弁７０に出力される。回収弁７０は、開かれた状態へと切り替わる。制御部９１は、回収弁７０に開放信号を出力した場合、補給弁８１に閉鎖信号を出力する。補給弁８１への閉鎖信号の出力は、回収弁７０，７１，７２のうち、開放信号が出力された回収弁に閉鎖信号を出力した場合に実行される。従って、第一実施例では、制御部９１は、回収弁７０に閉鎖信号を出力した場合、補給弁８１に閉鎖信号を出力する。閉鎖信号は、接続Ｉ／Ｆ９５から補給弁８１に出力される。補給弁８１は、閉じられた状態へと切り替わる。
【００４７】
インクジェット記録装置１０では、回収弁７０への開放信号の出力と補給弁８１への閉鎖信号の出力に伴い、メインタンク１５から循環流路６０へのインクの供給が停止され、ヘッド部２１を経由するインクの循環が再開される。
【００４８】
＜第二実施例＞
第二実施例は、サブタンク４３，４４，４５の全てで貯留された各インクの量が、第一量となった、又は第一量を下回った場合を前提とする。回収弁７０，７１，７２とバイパス弁７４と補給弁８１の状態について、回収弁７０，７１，７２は、開かれた状態であり、バイパス弁７４と補給弁８１は、閉じられた状態となっている。送液部７７は、駆動している。
【００４９】
サブタンク４３に貯留されたインクの量が第一量以下となった場合、検出器４９は、下限値信号を出力する。サブタンク４４に貯留されたインクの量が第一量以下となった場合、検出器５０は、下限値信号を出力する。サブタンク４５に貯留されたインクの量が第一量以下となった場合、検出器５１は、下限値信号を出力する。検出器４９，５０，５１からの下限値信号は、接続Ｉ／Ｆ９５を介して制御装置９０に入力される。制御部９１は、検出器４９，５０，５１からの下限値信号を取得する。
【００５０】
制御部９１は、検出器４９からの下限値信号を取得した場合、回収弁７０に閉鎖信号を出力する。閉鎖信号は、接続Ｉ／Ｆ９５から回収弁７０に出力される。回収弁７０は、閉じられた状態へと切り替わる。制御部９１は、検出器５０からの下限値信号を取得した場合、回収弁７１に閉鎖信号を出力する。閉鎖信号は、接続Ｉ／Ｆ９５から回収弁７１に出力される。回収弁７１は、閉じられた状態へと切り替わる。制御部９１は、検出器５１からの下限値信号を取得した場合、回収弁７２に閉鎖信号を出力する。閉鎖信号は、接続Ｉ／Ｆ９５から回収弁７２に出力される。回収弁７２は、閉じられた状態へと切り替わる。
【００５１】
制御部９１は、検出器４９，５０，５１のうちの何れか１個の検出器からの下限値信号を取得した場合、補給弁８１に開放信号を出力する。開放信号は、接続Ｉ／Ｆ９５から補給弁８１に出力される。補給弁８１は、開かれた状態へと切り替わる。制御部９１は、検出器４９，５０，５１からの下限値信号を全て取得した場合、バイパス弁７４に開放信号を出力する。開放信号は、接続Ｉ／Ｆ９５からバイパス弁７４に出力される。バイパス弁７４は、開かれた状態へと切り替わる。
【００５２】
インクジェット記録装置１０では、メインタンク１５に貯留されたインクが、補給流路８０を流れて循環流路６０に供給され、新たに供給されたインクを含むインクが、循環流路６０を循環される。回収弁７０が閉じられた状態である場合、回収流路６５を通した第二マニホールド６８の側へのヘッド部２１から流出するインクの流れは、遮断される。ヘッド部２１を経由するインクの循環は、停止され、サブタンク４３に貯留されているインクの量は、漸次増加する。回収弁７１が閉じられた状態である場合、回収流路６６を通した第二マニホールド６８の側へのヘッド部２２から流出するインクの流れは、遮断される。ヘッド部２２を経由するインクの循環は、停止され、サブタンク４４に貯留されているインクの量は、漸次増加する。回収弁７２が閉じられた状態である場合、回収流路６７を通した第二マニホールド６８の側へのヘッド部２３から流出するインクの流れは、遮断される。ヘッド部２３を経由するインクの循環は、停止され、サブタンク４５に貯留されているインクの量は、漸次増加する。
【００５３】
循環流路６０では、バイパス弁７４が開かれた状態へと切り替わることで、バイパス流路７３によって第一マニホールド６４と第二マニホールド６８が通じ合い、インクは、第一マニホールド６４からバイパス流路７３を流れて第二マニホールド６８に流入する。第二実施例では、循環流路６０におけるインクの循環は、ヘッド部２１，２２，２３を経由することなく行われる。
【００５４】
サブタンク４３に貯留されているインクの量が第二量以上となった場合、検出器４９は、上限値信号を出力する。検出器４９からの上限値信号は、接続Ｉ／Ｆ９５を介して制御装置９０に入力される。制御部９１は、検出器４９からの上限値信号を取得する。制御部９１は、回収弁７０に開放信号を出力する。開放信号は、接続Ｉ／Ｆ９５から回収弁７０に出力される。回収弁７０は、開かれた状態へと切り替わる。サブタンク４４に貯留されているインクの量が第二量以上となった場合、検出器５０は、上限値信号を出力する。検出器５０からの上限値信号は、接続Ｉ／Ｆ９５を介して制御装置９０に入力される。制御部９１は、検出器５０からの上限値信号を取得する。制御部９１は、回収弁７１に開放信号を出力する。開放信号は、接続Ｉ／Ｆ９５から回収弁７１に出力される。回収弁７１は、開かれた状態へと切り替わる。サブタンク４５に貯留されているインクの量が第二量以上となった場合、検出器５１は、上限値信号を出力する。検出器５１からの上限値信号は、接続Ｉ／Ｆ９５を介して制御装置９０に入力される。制御部９１は、検出器５１からの上限値信号を取得する。制御部９１は、回収弁７２に開放信号を出力する。開放信号は、接続Ｉ／Ｆ９５から回収弁７２に出力される。回収弁７２は、開かれた状態へと切り替わる。
【００５５】
制御部９１は、回収弁７０，７１，７２のうちの何れか１個の回収弁に開放信号を出力した場合、バイパス弁７４に閉鎖信号を出力する。閉鎖信号は、接続Ｉ／Ｆ９５からバイパス弁７４に出力される。バイパス弁７４は、閉じられた状態へと切り替わる。制御部９１は、回収弁７０，７１，７２の全部に開放信号を出力した場合、補給弁８１に閉鎖信号を出力する。補給弁８１への閉鎖信号の出力は、上述した通り、回収弁７０，７１，７２のうち、開放信号が出力された回収弁に閉鎖信号を出力した場合に実行される。従って、第二実施例では、制御部９１は、回収弁７０，７１，７２の全部に閉鎖信号を出力した場合、補給弁８１に閉鎖信号を出力する。閉鎖信号は、接続Ｉ／Ｆ９５から補給弁８１に出力される。補給弁８１は、閉じられた状態へと切り替わる。
【００５６】
インクジェット記録装置１０では、回収弁７０，７１，７２のうちの何れか１個の回収弁への開放信号の出力に伴い、バイパス流路７３を経由する循環が停止され、回収弁７０，７１，７２への開放信号の出力とバイパス弁７４及び補給弁８１への閉鎖信号の出力に伴い、メインタンク１５から循環流路６０へのインクの供給が停止され、ヘッド部２１，２２，２３を経由するインクの循環が再開される。
【００５７】
＜実施形態の効果＞
実施形態によれば、次のような効果を得ることができる。
【００５８】
（１）循環流路６０では、回収流路６５に回収弁７０が設けられ、回収流路６６に回収弁７１が設けられ、回収流路６７に回収弁７２が設けられる。そのため、回収弁７０を閉じた状態とすることで、ヘッド部２１からのインクの流出を停止させることができる。これに伴い、サブタンク４３に貯留されるインクの量を増加させることができる。回収弁７１を閉じた状態とすることで、ヘッド部２２からのインクの流出を停止させることができる。これに伴い、サブタンク４４に貯留されるインクの量を増加させることができる。回収弁７２を閉じた状態とすることで、ヘッド部２３からのインクの流出を停止させることができる。これに伴い、サブタンク４５に貯留されるインクの量を増加させることができる。
【００５９】
（２）循環流路６０では、バイパス流路７３が設けられ、バイパス流路７３にバイパス弁７４が設けられる。インクジェットヘッド２０では、サブタンク４３に検出器４９が設けられ、サブタンク４４に検出器５０が設けられ、サブタンク４５に検出器５１が設けられる。検出器４９は、サブタンク４３に貯留されたインクの量が第一量以下である場合、下限値信号を出力し、サブタンク４３に貯留されたインクの量が第二量以上である場合、上限値信号を出力する。検出器５０は、サブタンク４４に貯留されたインクの量が第一量以下である場合、下限値信号を出力し、サブタンク４４に貯留されたインクの量が第二量以上である場合、上限値信号を出力する。検出器５１は、サブタンク４５に貯留されたインクの量が第一量以下である場合、下限値信号を出力し、サブタンク４５に貯留されたインクの量が第二量以上である場合、上限値信号を出力する。制御部９１（ＣＰＵ９２）は、検出器４９，５０，５１からの液面レベル信号（下限値信号又は上限値信号）に応じて、回収弁７０，７１，７２とバイパス弁７４と補給弁８１の一部又は全部に対し、閉鎖信号及び／又は開閉信号を出力する。
【００６０】
そのため、例えば、サブタンク４３に貯留されたインクの量が第一量以下である場合、メインタンク１５から循環流路６０にインクを供給しつつ、サブタンク４３に貯留されるインクの量を増加させることができる。その後、サブタンク４３に貯留されたインクの量が第二量以上となった状態で、メインタンク１５から循環流路６０へのインクの供給を停止させ、ヘッド部２１を介したインクの循環を再開させることができる。回収弁７０，７１，７２の全部が閉じられた状態である場合、バイパス流路７３を通して第一マニホールド６４から第二マニホールド６８にインクを流すことができる。回収弁７０，７１，７２の全部が閉じられた状態であっても、インクを循環し続けることが可能となる。循環流路６０をインクが流れなくなり、インクの圧力が高くなることを防止することができる。送液部７７を保護し、送液部７７の故障を抑制することができる。
【００６１】
バイパス弁７４は、回収弁７０，７１，７２の何れかが開かれた状態である場合、閉じられた状態とされる。この場合、循環流路６０では、インクは、回収流路６５，６６，６７のうち、開かれた状態の回収弁が設けられる回収流路を流れて循環される。
【００６２】
（３）インクジェットヘッド２０では、サブタンク４３に加熱部５２が設けられ、サブタンク４４に加熱部５３が設けられ、サブタンク４５に加熱部５４が設けられる。そのため、サブタンク４３からヘッド部２１に供給されるインクを加熱し、インクの温度を、ノズル２４からの吐出に適した温度に調整することができる。サブタンク４４からヘッド部２２に供給されるインクを加熱し、インクの温度を、ノズル２５からの吐出に適した温度に調整することができる。サブタンク４５からヘッド部２３に供給されるインクを加熱し、インクの温度を、ノズル２６からの吐出に適した温度に調整することができる。
【００６３】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００６４】
（１）上記では説明を省略したが、インクジェット記録装置１０は、シリアル型又はライン型の何れであってもよい。即ち、循環流路６０は、インクジェット記録装置１０のタイプに関わらず採用することができる。インクジェット記録装置１０がシリアル型である場合、インクジェット記録装置１０は、キャリッジ４２を主走査方向に往復移動させる移動部を備える。記録媒体への画像の記録は、キャリッジ４２を主走査方向に往復移動させつつ行われる。インクジェット記録装置１０がライン型である場合、複数のノズル２４，２５，２６は、主走査方向に一致する記録媒体の幅の方向に配列される。シリアル型又はライン型のインクジェット記録装置は、既に実用化された形式であり、共に公知である。従って、これらに関するこの他の説明は、省略する。
【００６５】
（２）サブタンク４３に加熱部５２を設け、サブタンク４４に加熱部５３を設け、サブタンク４５に加熱部５４を設けた。インクジェットヘッドでは、加熱部５２，５３，５４は、省略するようにしてもよい。この他、循環流路６０の何れかに加熱部を設け、加熱部が設けられた領域で、その領域を流れるインクを加熱するようにしてもよい。
【００６６】
（３）循環流路６０に、バイパス流路７３とバイパス弁７４を設けた。バイパス流路７３とバイパス弁７４は、省略するようにしてもよい。この場合、回収弁７０，７１，７２の全部を閉じられた状態へと切り替えるタイミングで、送液部７７を、停止させるようにしてもよい。
【符号の説明】
【００６７】
１０  インクジェット記録装置、  １５  メインタンク
２０  インクジェットヘッド、  ２１，２２，２３  ヘッド部
２４，２５，２６  ノズル、  ２７，２８，２９  流入口
３０，３１，３２  流出口、  ３３，３４，３５  内部流路
３６，３７，３８  本流部、  ３９，４０，４１  支流部、  ４２  キャリッジ
４３，４４，４５  サブタンク、  ４６，４７，４８  貯留室
４９，５０，５１  検出器、  ５２，５３，５４  加熱部
６０  循環流路、  ６１，６２，６３  供給流路、  ６４  第一マニホールド
６５，６６，６７  回収流路、  ６８  第二マニホールド、  ６９  連結流路
７０，７１，７２  回収弁、  ７３  バイパス流路、  ７４  バイパス弁
７７  送液部、  ８０  補給流路、  ８１  補給弁
９０  制御装置、  ９１  制御部、  ９２  ＣＰＵ、  ９３  記憶部、  ９４  ＲＡＭ
９５  接続インターフェース（接続Ｉ／Ｆ）、  ９６  電源
【図１】
0006613093.tif 000002